(57)【要約】受信を不要とするＣＢＳメッセージの受信処理に伴う不要な電力消費を抑えることができる通信端末を提供することを目的とする。本発明にかかる通信端末（１０）は、ＣＢＳメッセージが配信されることを示すページングメッセージを受信する通信部（１１）を備える。さらに、通信端末（１０）は、ページングメッセージに設定されたＣＢＳメッセージ種別情報を用いて、配信されるＣＢＳメッセージを受信するか否かを制御する受信制御部（１２）と、を備える。
2015186291.tif 000002
【特許請求の範囲】
【請求項１】
配信されるＣＢＳメッセージの種別情報を含むページングメッセージを受信する通信手段と、
前記種別情報と予め定められたＣＢＳメッセージ受信基準とに基づいて、前記ＣＢＳメッセージを受信するか否かを制御する受信制御手段と、を備える通信端末。
【請求項２】
前記種別情報は、
前記ＣＢＳメッセージのメッセージＩＤ、前記ＣＢＳメッセージのシリアルナンバー、複数の通信端末に共通に割り当てられるグループＩＤ、受信制限付きフラグ及び受信端末情報の少なくとも１つを有する、請求項１に記載の通信端末。
【請求項３】
前記受信制御手段は、
前記種別情報に前記グループＩＤが設定されており、自端末が属するグループのグループＩＤと、前記ＣＢＳメッセージ種別情報に設定されているグループＩＤとが異なる場合、前記ＣＢＳメッセージを受信しないと判定する、請求項２に記載の通信端末。
【請求項４】
前記受信制御手段は、
前記種別情報に前記グループＩＤが設定されており、自装置が属するグループのグループＩＤと、前記ＣＢＳメッセージ種別情報に設定されているグループＩＤとが同じ場合、前記ＣＢＳメッセージを受信すると判定する、請求項２又は３に記載の通信端末。
【請求項５】
前記受信制御手段は、
前記種別情報に前記受信制限付きフラグが設定されており、自端末が、受信が制限されている複数のＣＢＳメッセージのうち１以上のＣＢＳメッセージを受信するように設定されている場合、前記ＣＢＳメッセージを受信すると判定する、請求項２に記載の通信端末。
【請求項６】
前記受信制御手段は、
前記ＣＢＳメッセージを受信しないことを決定した場合、前記ＣＢＳメッセージの配信に用いられるチャネルにおける受信処理を停止する、請求項１乃至５のいずれか１項に記載の通信端末。
【請求項７】
前記受信制御手段は、
前記ＣＢＳメッセージを受信しないことを決定した場合、前記ページングメッセージにおいて指定されたＢＣＣＨの受信タイミングにおける受信処理を停止する、請求項６に記載の通信端末。
【請求項８】
前記受信制御手段は、
前記ＣＢＳメッセージを受信しないことを決定した場合、予め定められたＢＣＣＨの受信タイミングにおける受信処理を停止する、請求項６に記載の通信端末。
【請求項９】
配信するＣＢＳメッセージの種別情報を含むページングメッセージを通信端末へ送信し、前記種別情報と予め定められたＣＢＳメッセージ受信基準とに基づいて、前記ＣＢＳメッセージを受信するか否かを前記通信端末において制御させる、ページングメッセージ処理手段、を備える無線基地局。
【請求項１０】
前記種別情報は、
前記ＣＢＳメッセージのメッセージＩＤ、前記ＣＢＳメッセージのシリアルナンバー、複数の通信端末に共通に割り当てられるグループＩＤ、受信制限付きフラグ及び受信端末情報の少なくとも１つを有する、請求項９に記載の無線基地局。
【請求項１１】
配信するＣＢＳメッセージの種別情報を含むページングメッセージを送信する無線基地局と、
前記ページングメッセージを受信し、前記ページングメッセージに含まれる前記種別情報と予め定められたＣＢＳメッセージ受信基準とに基づいて、配信される前記ＣＢＳメッセージを受信するか否かを制御する通信端末と、を備える情報配信システム。
【請求項１２】
前記無線基地局に対して、前記種別情報を含むページングメッセージを前記通信端末へ送信することを指示するメッセージを送信するＭＭＥをさらに備える、請求項１１に記載の情報配信システム。
【請求項１３】
前記通信端末は、
前記ＣＢＳメッセージを受信しないことを決定した場合、前記ＣＢＳメッセージの配信に用いられるチャネルにおける受信処理を停止する、請求項１１又は１２に記載の情報配信システム。
【請求項１４】
ＣＢＳメッセージを配信することを示すページングメッセージに、通信端末において前記ＣＢＳメッセージを受信するか否かを制御する際に用いられる前記ＣＢＳメッセージ種別情報を含ませるために、ＭＭＥにＣＢＳメッセージ種別情報を送信するＣＢＳメッセージ配信制御手段を備えるＣＢＳメッセージ配信サーバ。
【請求項１５】
前記ＣＢＳメッセージ種別情報は、
前記ＣＢＳメッセージのメッセージＩＤ、前記ＣＢＳメッセージのシリアルナンバー、複数の通信端末に共通に割り当てられるグループＩＤ、受信制限付きフラグ及び受信端末情報の少なくとも１つを有する、請求項１４に記載のＣＢＳメッセージ配信サーバ。
【請求項１６】
無線基地局に対して、通信端末においてＣＢＳメッセージを受信するか否かを制御する際に用いられるＣＢＳメッセージ種別情報を含むページングメッセージを前記通信端末へ送信することを指示するメッセージを送信するＭＭＥ。
【請求項１７】
配信されるＣＢＳメッセージの種別情報を含むページングメッセージを受信し、
前記種別情報と予め定められたＣＢＳメッセージ受信基準とに基づいて、前記ＣＢＳメッセージを受信するか否かを制御する、通信方法。
【請求項１８】
配信するＣＢＳメッセージの種別情報を含むページングメッセージを通信端末へ送信し、前記種別情報と予め定められたＣＢＳメッセージ受信基準とに基づいて、前記ＣＢＳメッセージを受信するか否かを前記通信端末において制御させる、通信方法。
【請求項１９】
配信されるＣＢＳメッセージの種別情報が含まれるページングメッセージを受信し、
前記種別情報と予め定められたＣＢＳメッセージ受信基準とに基づいて、前記ＣＢＳメッセージを受信するか否かを制御する、
ことをコンピュータに実行させるプログラムを格納した非一時的なコンピュータ可読媒体。
【請求項２０】
配信するＣＢＳメッセージの種別情報を含むページングメッセージを通信端末へ送信し、前記種別情報と予め定められたＣＢＳメッセージ受信基準とに基づいて、前記ＣＢＳメッセージを受信するか否かを前記通信端末において制御させることをコンピュータに実行させるプログラムを格納した非一時的なコンピュータ可読媒体。
【発明の詳細な説明】
【技術分野】
【０００１】
本発明は通信端末、無線基地局、情報配信システム、ＣＢＳメッセージ配信サーバ、ＭＭＥ、通信方法及びプログラムに関し、例えばＣＢＳ（Cell Broadcast Service）メッセージの配信に関連する通信端末、無線基地局、情報配信システム、通信方法及びプログラムに関する。
【背景技術】
【０００２】
一般的に、通信ネットワークを介して災害情報等を迅速に配信するために、ＣＢＳが用いられている。ＣＢＳは、情報配信元装置から送信された情報を、基地局が管理するセル単位に情報を配信するサービスである。つまり、ＣＢＳを用いることによって、セルに在圏する全ての通信端末に対して同一の情報を送信することが出来る。これによって、セルに在圏する全ての通信端末は、基地局を介して同一の情報を受信することが出来る。ＣＢＳのネットワーク構成及びＣＢＳを構成する各装置の動作等は、例えば非特許文献１に開示されている。【０００３】
さらに、特許文献１においては、移動端末は、移動端末の動作を特定する端末動作識別子が設定されたページング信号を受信すると、設定された端末動作、例えばブザー音の鳴動、ポップアップ画面の表示等、を行う、という処理が開示されている。このような動作によって、移動端末は、ユーザに対して緊急情報を通知することができる。【０００４】
近年、災害情報等の配信に用いられていたＣＢＳを、広告配信等の商業的な利用に用いることが検討されている。商業的な利用として、例えば、高速道路利用者に対して、道路交通情報を定期的に配信するサービス等が検討されている。高速道路利用者とは、例えば、通信装置を保持して車両に搭乗している人である。
【先行技術文献】
【特許文献】
【０００５】
【特許文献１】特開２００９−１１１６０９号公報
【非特許文献】
【０００６】
【非特許文献１】3GPP TS 23.041 V12.5.0 (2014-03) 3rd Generation Partnership Project; Technical Specification Group Core Network and Terminals; Technical realization of Cell Broadcast Service (CBS) (Release 12)
【発明の概要】
【発明が解決しようとする課題】
【０００７】
ＣＢＳを広告配信等の商業的な利用に用いる場合、セルに在圏する全ての端末が、配信されるＣＢＳメッセージを必要とするわけではない。しかし、ＣＢＳは、セルに在圏する全ての端末が、配信されるＣＢＳメッセージを受信することを前提としている。そのため、配信されるＣＢＳメッセージの受信を不要とする端末も、ＣＢＳメッセージの受信処理を実行することになる。そのため、ＣＢＳを商業的な利用に用いた場合、ＣＢＳメッセージの受信を不要とする端末において、ＣＢＳメッセージの受信処理に伴う不要な電力消費が発生してしまうという問題がある。【０００８】
本発明の目的は、受信を不要とするＣＢＳメッセージの受信処理に伴う不要な電力消費を抑えることができる通信端末、無線基地局、情報配信システム、ＣＢＳメッセージ配信サーバ、ＭＭＥ、通信方法及びプログラムを提供することにある。
【課題を解決するための手段】
【０００９】
本発明の第１の態様にかかる通信端末は、配信されるＣＢＳメッセージの種別情報を含むページングメッセージを受信する通信部と、前記種別情報と予め定められたＣＢＳメッセージ受信基準とに基づいて、前記ＣＢＳメッセージを受信するか否かを制御する受信制御部と、を備えるものである。【００１０】
本発明の第２の態様にかかる無線基地局は、配信するＣＢＳメッセージの種別情報を含むページングメッセージを通信端末へ送信し、前記種別情報と予め定められたＣＢＳメッセージ受信基準とに基づいて、前記ＣＢＳメッセージを受信するか否かを前記通信端末において制御させる、ページングメッセージ処理部を備えるものである。【００１１】
本発明の第３の態様にかかる情報配信システムは、配信するＣＢＳメッセージの種別情報を含むページングメッセージを送信する無線基地局と、前記ページングメッセージを受信し、前記ページングメッセージに含まれる前記種別情報と予め定められたＣＢＳメッセージ受信基準とに基づいて、配信される前記ＣＢＳメッセージを受信するか否かを制御する通信端末と、を備えるものである。【００１２】
本発明の第４の態様にかかるＣＢＳメッセージ配信サーバは、ＣＢＳメッセージを配信することを示すページングメッセージに、前記通信端末において前記ＣＢＳメッセージを受信するか否かを制御する際に用いられる前記ＣＢＳメッセージ種別情報を含ませるために、ＭＭＥにＣＢＳメッセージ種別情報を送信するＣＢＳメッセージ配信制御部を備えるものである。【００１３】
本発明の第５の態様にかかるＭＭＥは、無線基地局に対して、通信端末においてＣＢＳメッセージを受信するか否かを制御する際に用いられるＣＢＳメッセージ種別情報を含むページングメッセージを前記通信端末へ送信することを指示するメッセージを送信するものである。【００１４】
本発明の第６の態様にかかる通信方法は、配信されるＣＢＳメッセージの種別情報を含むページングメッセージを受信し、前記種別情報と予め定められたＣＢＳメッセージ受信基準とに基づいて、前記ＣＢＳメッセージを受信するか否かを制御するものである。【００１５】
本発明の第７の態様にかかるプログラムは、配信されるＣＢＳメッセージの種別情報が含まれるページングメッセージを受信し、前記種別情報と予め定められたＣＢＳメッセージ受信基準とに基づいて、前記ＣＢＳメッセージを受信するか否かを制御することをコンピュータに実行させるものである。
【発明の効果】
【００１６】
本発明により、受信を不要とするＣＢＳメッセージの受信処理に伴う不要な電力消費を抑えることができる通信端末、無線基地局、情報配信システム、ＣＢＳメッセージ配信サーバ、ＭＭＥ、通信方法及びプログラムを提供することができる。
【図面の簡単な説明】
【００１７】
【図１】実施の形態１にかかる通信端末の構成図である。
【図２】実施の形態２にかかる情報配信システムの構成図である。
【図３】実施の形態２にかかるＣＢＣの構成図である。
【図４】実施の形態２にかかるｅＮＢの構成図である。
【図５】実施の形態２にかかるＵＥの構成図である。
【図６】課題を説明するための参照図である。
【図７】課題を説明するための参照図である。
【図８】実施の形態２にかかるＣＢＳメッセージの通信動作を説明する図である。
【図９】実施の形態２にかかるＣＢＳメッセージの配信処理の流れを説明する図である。
【図１０】実施の形態２にかかるWrite-Replace Warning Requestメッセージのフォーマットを示す図である。
【図１１】実施の形態２にかかるWrite-Replace Warning Requestメッセージのフォーマットを示す図である。
【図１２】実施の形態２にかかるページングメッセージのフォーマットを示す図である。
【図１３】実施の形態３にかかるＣＢＳメッセージの配信処理の流れを説明する図である。
【図１４】実施の形態３にかかるページングメッセージ送信指示メッセージのフォーマットを示す図である。
【発明を実施するための形態】
【００１８】
（実施の形態１）
以下、図面を参照して本発明の実施の形態について説明する。図１を用いて本発明の実施の形態１にかかる通信端末１０の構成例について説明する。通信端末１０は、通信部１１及び受信制御部１２を有している。
【００１９】
通信部１１は、ＣＢＳメッセージが配信されることを示すページングメッセージを受信する。ＣＢＳメッセージは、ＣＢＳにおいて複数の通信端末１０に配信されるメッセージである。ページングメッセージは、基地局の通信エリアに属する通信端末１０に対して、データを送信することを通知する際に用いるメッセージである。通信端末１０は、ページングメッセージを受信することによって、その後に送信されるＣＢＳメッセージの受信タイミングを把握することができる。
【００２０】
通信部１１は、ＣＢＳメッセージが配信されることを示すページングメッセージのほかに、画像データ、音声データ等のＣＢＳにおいて用いられるデータとは異なるデータを受信する際にもページングメッセージを受信してもよい。ＣＢＳメッセージが配信されることを示すページングメッセージには、ＣＢＳメッセージとは異なるメッセージが配信されることを示すページングメッセージに設定されるパラメータと異なるパラメータが設定されてもよい。
【００２１】
例えば、ＣＢＳメッセージが配信されることを示すページングメッセージには、ＣＢＳメッセージ種別情報が設定される。ＣＢＳメッセージ種別情報は、ＣＢＳメッセージの内容を示す情報であってもよい。例えば、ＣＢＳメッセージ種別情報は、配信されるＣＢＳメッセージが、災害情報か商業的な利用に用いられる情報かを示す情報であってもよい。もしくは、ＣＢＳメッセージ種別情報は、地震、津波等の具体的な災害情報を示す情報であってもよく、広告配信、道路情報配信等の具体的な商業的な利用を示す情報であってもよい。
【００２２】
受信制御部１２は、ＣＢＳメッセージ種別情報を用いて、配信されるＣＢＳメッセージを受信するか否かを制御する。例えば、通信端末１０を操作するユーザが、商業的な情報を受信しないことを通信端末１０に設定しているとする。このような場合、受信制御部１２は、ＣＢＳメッセージ種別情報に、商業的な利用に用いられる情報であることが示されている場合、その後配信されるＣＢＳメッセージに関する受信処理を行わない。また、受信制御部１２は、ＣＢＳメッセージ種別情報に、災害情報であることが示されている場合、その後配信されるＣＢＳメッセージに関する受信処理を行う。
【００２３】
さらに、受信制御部１２は、商業的な情報の内容に応じて配信されるＣＢＳメッセージを受信するか否かを制御してもよい。例えば、通信端末１０を操作するユーザが、道路情報のみを受信すると設定しているとする。このような場合、受信制御部１２は、ＣＢＳメッセージ種別に、広告配信であることが示されている場合、その後配信されるＣＢＳメッセージに関する受信処理を行わない。また、受信制御部１２は、ＣＢＳメッセージ種別に、道路情報配信であることが示されている場合、その後配信されるＣＢＳメッセージに関する受信処理を行う。
【００２４】
以上説明したように、図１の通信端末１０は、ＣＢＳメッセージ種別情報が設定されたページングメッセージを受信することができる。さらに、通信端末１０は、ＣＢＳメッセージ種別情報を用いてＣＢＳメッセージの受信可否を判断することができる。これによって、通信端末１０は、不要なＣＢＳメッセージに伴う受信処理を実行することがなくなる。そのため、通信端末１０は、不要なＣＢＳメッセージを受信することによって無駄な電力を消費することを防止することができる。
【００２５】
（実施の形態２）
続いて、図２を用いて本発明の実施の形態２にかかる情報配信システムの構成例について説明する。図２は、ＵＥ（User Equipment）へブロードキャスト通信を用いて情報配信を行うための構成例を示している。図２の情報配信システムは、３ＧＰＰ（3rd Generation Partnership Project）において定められているＣＢＳを実現するためのネットワーク構成例を示している。
【００２６】
本図のネットワークは、情報配信サーバ２０、ＣＢＣ（Cell Broadcast Center）３０、ＭＭＥ（Mobility Management Entity）４０、ｅＮＢ（evolved NodeB）５０及びＵＥ６０を有している。
【００２７】
ＵＥ６０は、移動通信装置である。ＵＥ６０は、図１の通信端末１０に相当する。ｅＮＢ５０は、基地局装置であり、具体的には、ＬＴＥ(Long Term Evolution)において用いられる基地局装置である。ＭＭＥ４０は、主にＵＥ６０の移動管理を行う。ＣＢＣ３０は、セルブロードキャストを実行する際に用いられる装置である。情報配信サーバ２０は、ＣＢＣ３０へ配信情報を送信する。
【００２８】
本図においては、主にＬＴＥ通信を行う際に用いるノード装置を示しているが、他のノード装置が用いられてもよい。例えば、ｅＮＢ５０の代わりに、３Ｇ通信を行うＮｏｄｅＢが用いられてもよく、ＭＭＥ４０の代わりにＲＮＣ（Radio Network Controller）等が用いられてもよい。
【００２９】
続いて、図３を用いて本発明の実施の形態２にかかるＣＢＣ３０の構成例について説明する。ＣＢＣ３０は、ＣＢＳメッセージ配信制御部３１を有している。ＣＢＳメッセージ配信制御部３１は、情報配信サーバ２０から、ＣＢＳを用いたＣＢＳメッセージの配信指示に関するメッセージ（以下、ＣＢＳ配信指示メッセージとする）を受信する。ＣＢＳメッセージ配信制御部３１は、ＣＢＳ配信指示メッセージを受信すると、ＭＭＥ４０へ、ＣＢＳメッセージ種別情報を送信する。例えば、ＣＢＣ３０は、情報配信サーバ２０から受け付けるＣＢＳ配信指示メッセージと、ＣＢＳメッセージ種別情報とを予め関連づけた情報を管理してもよい。ＣＢＳメッセージ配信制御部３１は、受信したＣＢＳ配信指示メッセージに関連付けられたＣＢＳメッセージ種別情報をＭＭＥ４０へ送信する。なお、ＣＢＳメッセージ配信制御部３１は、配信するＣＢＳメッセージの内容をＭＭＥ４０へ送信するが、このときに併せてＣＢＳメッセージ種別情報をＭＭＥ４０へ送信しても良い。また、ＣＢＳメッセージ配信制御部３１は、ｅＮＢ５０に対して、ＣＢＳメッセージ種別情報を含んだページングメッセージを送信することを意図して、ＣＢＳメッセージ種別情報をＭＭＥ４０へ送信しても良い。
【００３０】
ここで、ＣＢＳメッセージ種別情報について詳細に説明する。ＣＢＳメッセージ種別情報は、例えば、メッセージＩＤ、シリアルナンバー、グループＩＤ、受信制限付きフラグ及び受信端末情報の少なくとも１つを含む。
【００３１】
メッセージＩＤは、ＣＢＳメッセージの種類を示す情報である。例えば、メッセージＩＤは、災害情報もしくは商業的情報を識別するＩＤであってもよい。また、メッセージＩＤは、例えばより具体的な災害情報である、地震情報や津波情報、洪水情報、火災情報などを識別するＩＤであっても良く、例えばより具体的な商業情報である、道路交通情報や広告配信情報などを識別するＩＤであっても良い。シリアルナンバーは、ＣＢＳメッセージの詳細を示す情報である。例えば、シリアルナンバーは、ＣＢＳメッセージが、地震情報のうち、震度情報か、もしくは、震源地情報かを示す情報であってもよい。さらに、例えば、シリアルナンバーは、ＣＢＳメッセージが、道路交通情報のうち、事故情報か、もしくは、渋滞情報かを示す情報であってもよい。なお、シリアルナンバーによって識別される情報は、震度情報、震源地情報、事故情報及び渋滞情報以外の情報であってもよく、例えば、どのエリアでの事故情報などのように、より詳細な情報であってもよい。
【００３２】
グループＩＤは、複数のＵＥ６０をグループ化した際に、それぞれのグループを識別する情報であってもよい。例えば、ＵＥ６０として、ＭＴＣ（Machine Type Communication）デバイスが用いられることがある。ＭＴＣデバイスは、ユーザの操作を伴わず自律的に通信を行うデバイスである。ＭＴＣデバイスは、例えば、自動販売機等に組み込まれ、自動販売機内の飲料数の本数情報等をサーバ装置へ送信してもよい。もしくは、ＭＴＣデバイスは、使用電力量を自動的に検針するスマートメータ等であってもよい。もしくは、ＭＴＣデバイスは、車両に搭載され、車両において検知する情報をサーバ装置へ送信してもよい。もしくは、ＭＴＣデバイスは、橋梁や道路、ビルディングや家屋などの構造物に設置され、構造物の状態情報等をサーバ装置へ送信してもよい。もしくは、ＭＴＣデバイスは、森林や海、河川などの自然環境に設置され、自然環境情報等をサーバ装置へ送信してもよい。もしくは、ＭＴＣデバイスは、農地や飼育動物、あるいは野生動物などに設置され、作物情報や栽培環境情報、飼育動物の体調情報や野生動物の生態情報等をサーバ装置へ送信してもよい。
【００３３】
複数のＭＴＣデバイスが存在する場合、例えば、地域ごと、管理する事業者ごと、サービスごと、サービスにおける要求品質ごと、デバイスの種類や状態ごと、デバイスの通信特性ごと等に複数のＭＴＣデバイスをグループ化してもよい。ＣＢＳメッセージ配信制御部３１は、グループ単位に、配信する情報を設定してもよく、グループ単位に配信時間を変更してもよい。
【００３４】
受信制限付きフラグは、すべてのＵＥが受信するべきではないＣＢＳメッセージであることを示す情報である。例えば、災害情報は、すべてのＵＥが受信すべきＣＢＳメッセージに相当するとしてもよい。商業的情報は、例えば、道路配信サービス等のサービスに登録しているＵＥのみが受信すべきＣＢＳメッセージであり、すべてのＵＥが受信するべきではないＣＢＳメッセージに相当するとしてもよい。つまり、受信制限付きフラグが設定されている場合、配信するＣＢＳメッセージは、何らかの商業的情報である、ということを示していると想定してもよい。
【００３５】
受信端末情報は、例えばＣＢＳメッセージを受信すべきＵＥが満たす情報である。例えば、受信端末情報は、ＵＥの位置登録エリア情報や在圏位置情報、ＵＥのバッテリ情報、ＵＥの移動特性情報、ＵＥの通信特性情報、ＵＥのサービスサポート情報等であってもよい。また、これらの受信端末情報をもとに、グループＩＤを作成、決定してもよい。
【００３６】
続いて、図４を用いて本発明の実施の形態２にかかるｅＮＢ５０の構成例について説明する。ｅＮＢ５０は、ページングメッセージ処理部５１、ＣＢＳメッセージ配信処理部５２及び制御部５３を有している。
【００３７】
制御部５３は、ＭＭＥ４０を介して、ＣＢＣ３０から送信されたＣＢＳメッセージ種別情報を受信すると、ページングメッセージ処理部５１に対してページングメッセージの送信を指示する。さらに、制御部５３は、ＣＢＳメッセージ配信処理部５２に対して、ＣＢＳメッセージの送信も指示する。
【００３８】
ページングメッセージ処理部５１は、制御部５３からページングメッセージの送信を指示されると、ｅＮＢ５０が形成する通信エリアに位置する複数のＵＥ６０に対して、ページングメッセージを送信する。ページングメッセージ処理部５１は、ページングメッセージにＣＢＳメッセージ種別情報の内容を設定する。なお、ページングメッセージ処理部５１は、ＵＥ６０においてＣＢＳメッセージを受信するタイミングに関する情報をページングメッセージに設定してもよい。
【００３９】
ＣＢＳメッセージを受信するタイミングに関する情報について詳細に説明する。例えば、ページングメッセージ処理部５１は、ＰＣＨ(Paging Channel)にてページングメッセージを送信する。さらに、ＣＢＳメッセージ配信処理部５２は、ＢＣＣＨ(Broadcast Control Channel)にてＣＢＳメッセージを送信する。なお、ページングメッセージ処理部５１は、ページングメッセージに、ＢＣＣＨにおいてＣＢＳメッセージが送信されるタイミングに関する情報を設定してもよい。この場合、ＵＥ６０は、ページングメッセージを受信することによって、ＢＣＣＨをＯＮ状態にするタイミングを把握することができる。また、ＵＥ６０は、ページングメッセージにＢＣＣＨにおいてＣＢＳメッセージが送信されるタイミングに関する情報が設定されていない場合、予め定められたタイミングでＢＣＣＨをＯＮ状態にすると判断する。
【００４０】
次に、図５を用いて本発明の実施の形態２にかかるＵＥ６０の構成例について説明する。ＵＥ６０は、ページングメッセージ受信部６１、ＣＢＳメッセージ受信部６２、チャネル制御部６３、ＣＢＳ制御情報保持部６４及び制御部６５を有している。
【００４１】
ページングメッセージ受信部６１は、ｅＮＢ５０から送信されたページングメッセージを受信する。ページングメッセージ受信部６１は、受信したページングメッセージに設定されているＣＢＳメッセージ種別情報を制御部６５へ出力する。さらに、ＣＢＳメッセージを受信するタイミングに関する情報をチャネル制御部６３へ出力する。
【００４２】
ＣＢＳ制御情報保持部６４は、ＣＢＳ制御情報を保持する。ＣＢＳ制御情報は、ＣＢＳメッセージを受信するか否かを判定する際に用いる情報である。例えば、ＣＢＳ制御情報保持部６４は、受信するＣＢＳメッセージのメッセージＩＤもしくはシリアルナンバーを保持していてもよい。さらに、ＣＢＳ制御情報保持部６４は、ＵＥ６０が属するグループのグループＩＤを保持してもよい。さらに、ＣＢＳ制御情報保持部６４は、商業用のＣＢＳメッセージの配信サービスに申し込んでいるか否かに関する情報を保持してもよい。さらに、ＣＢＳ制御情報保持部６４は、ＵＥ６０の位置登録エリアや在圏位置情報、現在のバッテリ残量、ＵＥ６０の移動特性や通信特性、ＵＥ６０のサービスサポートに関する情報等を保持してもよい。
【００４３】
制御部６５は、ＣＢＳメッセージ種別情報と、ＣＢＳ制御情報保持部６４に保持されているＣＢＳ制御情報とを比較して、ＣＢＳメッセージを受信するか否かを判定する。例えば、制御部６５は、ＣＢＳメッセージ種別情報に設定されているメッセージＩＤもしくはシリアルナンバーが、ＣＢＳ制御情報保持部６４に保持されているメッセージＩＤもしくはシリアルナンバーと異なる場合、ＣＢＳメッセージを受信しないと判定してもよい。
【００４４】
言い換えると、制御部６５は、ＣＢＳメッセージ種別情報に設定されているメッセージＩＤもしくはシリアルナンバーが、ＣＢＳ制御情報保持部６４に保持されているメッセージＩＤもしくはシリアルナンバーと同じ場合、ＣＢＳメッセージを受信すると判定してもよい。
【００４５】
さらに、制御部６５は、ＣＢＳメッセージ種別情報に設定されているグループＩＤが、ＣＢＳ制御情報保持部６４に保持されているグループＩＤと異なる場合、ＣＢＳメッセージを受信しないと判定してもよい。言い換えると、制御部６５は、ＣＢＳメッセージ種別情報に設定されているグループＩＤが、ＣＢＳ制御情報保持部６４に保持されているグループＩＤと同じ場合、ＣＢＳメッセージを受信すると判定してもよい。
【００４６】
さらに、制御部６５は、ＣＢＳメッセージ種別情報の受信制限付きフラグがＴＲＵＥもしくはＯＮ等に設定されているが、ＣＢＳ制御情報保持部６４において、商業用のＣＢＳメッセージの配信サービスに申し込んでいないとの情報が設定されている場合、ＣＢＳメッセージを受信しないと判定してもよい。言い換えると、制御部６５は、ＣＢＳメッセージ種別情報の受信制限付きフラグがＴＲＵＥもしくはＯＮ等に設定されており、ＣＢＳ制御情報保持部６４において、商業用のＣＢＳメッセージの配信サービスに申し込んでいるとの情報が設定されている場合、ＣＢＳメッセージを受信すると判定してもよい。
【００４７】
さらに、制御部６５は、ＣＢＳメッセージ種別情報に設定されている受信端末情報を満たさないと判定した場合、ＣＢＳメッセージを受信しないと判定してもよい。例えば、ＵＥ６０のバッテリ残量が、ＣＢＳメッセージ種別情報に設定されているバッテリ残量よりも少ない場合、ＣＢＳメッセージを受信しないと判定してもよい。
【００４８】
また、制御部６５は、ＣＢＳメッセージ種別情報に複数の情報が設定されている場合、予め定められた優先度に応じて、受信可否に用いる情報を特定してもよい。例えば、ＣＢＳメッセージ種別情報に、メッセージＩＤ、シリアルナンバー、グループＩＤ、受信制限付きフラグ及び受信端末情報が設定されている場合、優先度をメッセージＩＤ、シリアルナンバー、グループＩＤ、受信制限付きフラグ、受信端末情報の順番に定めてもよい。この場合、制御部６５は、メッセージＩＤを用いて、ＣＢＳメッセージの受信可否を判定する。
【００４９】
また、制御部６５は、ＣＢＳメッセージ種別情報に複数の情報が設定されている場合、すべての複数の情報を満たすか、あるいは一部の複数の情報を満たすかによって受信可否を判定しても良い。例えば、ＣＢＳメッセージ種別情報に、グループＩＤ、受信制限付きフラグ、受信端末情報が設定されている場合、グループＩＤと受信制限付きフラグの両方が条件を満たすかどうかで受信可否を判定する。
【００５０】
チャネル制御部６３は、制御部６５においてＣＢＳメッセージを受信すると判定された場合、ＣＢＳメッセージが設定されるチャネルにおけるＣＢＳメッセージの受信処理を行うことをＣＢＳメッセージ受信部６２へ指示する。例えば、チャネル制御部６３は、ページングメッセージにおいて、ＢＣＣＨにおけるＣＢＳメッセージの配信タイミングが指定されている場合、指定されたタイミングにおいて、ＢＣＣＨをＯＮとするようＣＢＳメッセージ受信部６２へ指示する。なお、チャネル制御部６３は、ページングメッセージにおいて、ＢＣＣＨにおけるＣＢＳメッセージの配信タイミングが指定されていない場合、予め定められたタイミングにおいて、ＢＣＣＨをＯＮとするようＣＢＳメッセージ受信部６２へ指示する。また、チャネル制御部６３は、制御部６５においてＣＢＳメッセージを受信しないと判定された場合、ＣＢＳメッセージが設定されるチャネルにおけるＣＢＳメッセージの受信処理を行わないことをＣＢＳメッセージ受信部６２へ指示する。例えば、ＣＢＳメッセージの受信処理を行わない場合、チャネル制御部６３は、ページングメッセージにおいて、ＢＣＣＨにおけるＣＢＳメッセージの配信タイミングが指定されている場合であっても、指定されたタイミングにＢＣＣＨをＯＮにしないようにＣＢＳメッセージ受信部６２へ指示する。あるいは、ＣＢＳメッセージの受信処理を行わないと判定された場合において、ページングメッセージにＢＣＣＨにおけるＣＢＳメッセージの配信タイミングが指定されていない場合、チャネル制御部６３は、予め定められたタイミングでＢＣＣＨをＯＮにしないようにＣＢＳメッセージ受信部６２へ指示する。
【００５１】
ここで、図６及び図７を用いて、本発明が解決する課題を詳細に説明する参照図について説明する。図６は、ＬＴＥにおけるＣＢＳメッセージの通信動作を示している。本図のコア網は、ＭＭＥ４０及びＣＢＣ３０を示している。
【００５２】
ｅＮＢ５０は、ＭＭＥ４０から、ＣＢＳメッセージの配信指示に関する情報を受信すると、制御部５３は、ＰＣＨを用いてページングメッセージをＵＥ６０へ送信する。さらに、制御部５３は、ＢＣＣＨを用いてＣＢＳメッセージをＵＥ６０へ送信する。ＣＢＳメッセージの配信指示に関する情報は、例えば、ＣＢＳメッセージ種別情報が設定されたメッセージである。なお、制御部５３は、ページングメッセージに、ＢＣＣＨにおけるＣＢＳメッセージの配信タイミングに関する情報を設定してもよい。
【００５３】
例えば、ＣＢＳメッセージ配信処理部５２は、ＢＣＣＨのＳＩＢ(System Information Block)１にて、ＣＢＳメッセージが設定されたＳＩＢ１０及びＳＩＢ１１の配信タイミングを設定する。ＣＢＳメッセージ配信処理部５２は、ＳＩＢ１０に、ｐｒｉｍａｒｙメッセージとしてＣＢＳメッセージを設定する。さらに、ＣＢＳメッセージ配信処理部５２は、ＳＩＢ１１に、ｓｅｃｏｎｄａｒｙメッセージとしてＣＢＳメッセージを設定する。ここで、ｐｒｉｍａｒｙメッセージは、分割することができないＣＢＳメッセージとし、ｓｅｃｏｎｄａｒｙメッセージは、ＲＲＣ層の規定サイズに分割されたＣＢＳメッセージとする。
【００５４】
ＵＥ６０は、間欠受信処理を行うことによって、ＰＣＨに設定されているページングメッセージを受信する。制御部６５は、ＰＣＨの間欠受信間隔を制御する。さらに、チャネル制御部６３は、予め定められたタイミングに基づいて、ＢＣＣＨをＯＮ状態にして、ＢＣＣＨに設定されているＣＢＳメッセージを受信する。なお、チャネル制御部６３は、ページングメッセージにＢＣＣＨにおけるＣＢＳメッセージの配信タイミングに関する情報が設定されている場合、ページングメッセージに設定されているＢＣＣＨの配信タイミングに基づいて、ＢＣＣＨをＯＮ状態にして、ＢＣＣＨに設定されているＣＢＳメッセージを受信してもよい。ＢＣＣＨがＯＮ状態とされている間は、データの受信処理に伴い電力が消費される。ＢＣＣＨがＯＮ状態とされていない間、つまり、ＢＣＣＨがＯＦＦ状態とされている間は、データの受信処理を行わないためデータの受信処理に伴う電力は消費されない。
【００５５】
次に、図７を用いて、３ＧにおけるＣＢＳメッセージの通信動作について説明する。図７は、ページングメッセージに、ＢＣＣＨにおいて送信される報知情報（ＳＩＢ５）の配信タイミングが設定されても良いことを示す。さらに、報知情報（ＳＩＢ５）において、ＣＴＣＨ(Common Traffic Channel)において送信されるＣＢＳメッセージの配信タイミングが設定されていることを示す。ＵＥ６０は、予め定められたタイミングに基づいてＢＣＣＨをＯＮ状態にして報知情報（ＳＩＢ５）を受信し、さらに報知情報（ＳＩＢ５）に設定されているタイミングでＣＴＣＨをＯＮ状態にして、ＣＢＳメッセージを受信する。なお、ページングメッセージにＢＣＣＨにおいて送信される報知情報（ＳＩＢ５）の配信タイミングが設定されている場合、ページングメッセージ及び報知情報において指定されているＢＣＣＨ及びＣＴＣＨの配信タイミングから、ＢＣＣＨ及びＣＴＣＨをＯＮ状態にして、ＣＢＳメッセージを受信する。
【００５６】
図６及び図７においては、ＵＥは、ページングメッセージを受信すると、ＢＣＣＨもしくはＣＴＣＨにおける受信処理を実行する。そのため、ＢＣＣＨもしくはＣＴＣＨをＯＮにするタイミングに、受信処理に伴い電力が消費される。この時、ＣＢＳメッセージの受け取りが不要である場合においても、ＢＣＣＨもしくはＣＴＣＨにおける受信処理を実行するため、無駄な電力が消費される。
【００５７】
続いて、図８を用いて、本発明の実施の形態２にかかるＣＢＣ３０、ＭＭＥ４０、ｅＮＢ５０及びＵＥ６０を用いた場合のＣＢＳメッセージの通信動作について説明する。本図においては、チャネル制御部６３が、ページングメッセージに設定されたＣＢＳメッセージ種別情報を用いて、ＣＢＳメッセージを受信しないと判定した場合、ＢＣＣＨにおいて送信されるＣＢＳメッセージの受信処理を行わないことを示している。これによって、ＢＣＣＨの受信処理における無駄な電力の消費を防止することができる。なお、３Ｇにおいても同様に、ＢＣＣＨ及びＣＴＣＨにおけるＣＢＳメッセージ受信処理を行わないことによって、無駄な電力の消費を防止することができる。
【００５８】
続いて、図９を用いて本発明の実施の形態２にかかる情報配信システムにおけるＣＢＳメッセージの配信処理の流れについて説明する。本図において、ＣＢＥ(Cell Broadcast Entity)は、情報配信サーバ２０に対応する。
【００５９】
はじめに、ＣＢＥは、ＣＢＳメッセージの配信を指示するためにEmergency Broadcast RequestメッセージをＣＢＣ３０へ送信する（Ｓ１１）。Emergency Broadcast Requestメッセージは、情報配信サーバ２０がＣＢＣ３０へ送信するＣＢＳ配信指示メッセージに相当する。次に、ＣＢＣ３０は、ＣＢＳメッセージ種別情報を設定したWrite-Replace Warning RequestメッセージをＭＭＥ４０へ送信する（Ｓ１２）。ＭＭＥ４０は、Write-Replace Warning Requestメッセージに対する応答メッセージとして、ＣＢＣ３０へWrite-Replace Warning Confirmメッセージを送信する（Ｓ１３）。さらに、ＣＢＣ３０は、Emergency Broadcast Requestメッセージに対する応答メッセージとして、ＣＢＥへEmergency Broadcast Responseメッセージを送信する（Ｓ１４）。
【００６０】
次に、ＭＭＥ４０は、ＣＢＣ３０から送信されたWrite-Replace Warning RequestメッセージをｅＮＢ５０へ送信する（Ｓ１５）。ＭＭＥ４０は、ＣＢＣ３０から送信されたWrite-Replace Warning Requestメッセージを、ｅＮＢ５０との間に用いられるメッセージのフォーマットに変換し、フォーマットを変換したWrite-Replace Warning RequestメッセージをｅＮＢ５０へ送信してもよい。
【００６１】
次に、ｅＮＢ５０は、ＵＥ６０との間において、Cell Broadcast delivery処理を実行する。ここで、Cell Broadcast delivery処理の具体的な内容について説明する。ｅＮＢ５０は、ＵＥ６０にページングメッセージを送信する。ｅＮＢ５０は、ページングメッセージに、ＣＢＳメッセージ種別情報を設定する。さらに、ｅＮＢ５０は、ＵＥ６０へＣＢＳメッセージを送信する。
【００６２】
ＵＥ６０は、ページングメッセージに設定されたＣＢＳメッセージ種別情報を用いてＣＢＳメッセージの受信可否を判定する。ＵＥ６０は、ＣＢＳメッセージを受信しないと判定した場合、ｅＮＢ５０から送信されたＣＢＳメッセージを受信するための受信処理を実行しない。ＵＥ６０は、ＣＢＳメッセージを受信すると判定した場合、ｅＮＢ５０から送信されたＣＢＳメッセージを受信するための受信処理を実行する。
【００６３】
ステップＳ１６における、Cell Broadcast delivery処理が完了すると、ｅＮＢ５０は、ＭＭＥ４０へ、Write-Replace Warning Responseメッセージを送信する（Ｓ１７）。次に、ＭＭＥ４０は、ＣＢＣ３０へ、Write-Replace Warning Indicationメッセージを送信する（Ｓ１８）。Write-Replace Warning Indicationメッセージは、Cell Broadcast delivery処理が完了したことをＣＢＣ３０へ通知するために用いられるメッセージである。
【００６４】
続いて、図９において説明した各種メッセージフォーマットについて説明する。図１０を用いて、ＣＢＣ３０がＭＭＥ４０へ送信するWrite-Replace Warning Requestメッセージのフォーマットについて説明する。図１０のWrite-Replace Warning Requestメッセージのパラメータには、Message Identifier、Serial-Number、Detail information paging-message indicator、Group Identifier、Restriction Flag、及び、Device Informationが設定されている。さらに、Message Identifier、Serial-Number、Detail information paging-message indicator、Group Identifier、Restriction Flag、及び、Device Informationは、ＣＢＳメッセージ種別情報に相当する。
【００６５】
Detail information paging-message indicatorは、Message Identifier、Serial-Number、Group Identifier及びRestriction Flag等のＣＢＳメッセージ種別情報をｅＮＢ５０へ送信することを、ＭＭＥ４０へ指示するために用いられる情報である。Message Identifierは、メッセージＩＤに相当し、Serial-Numberはシリアルナンバーに相当し、Group Identifierは、グループＩＤに相当し、Restriction Flagは、受信制限付きフラグに相当し、Device Informationは、受信端末情報に相当する。
【００６６】
本図においては、Write-Replace Warning Requestメッセージのパラメータとして、Detail information paging-message indicator、Group Identifier、Restriction Flag、及び、Device Informationが設定されているが、他のパラメータの詳細情報として、Detail information paging-message indicator、Group Identifier、Restriction Flag、及び、Device Informationが設定されてもよい。例えば、パラメータとして設定されているMessage Typeの詳細情報として、Detail information paging-message indicator、Group Identifier、及び、Restriction Flagが設定されてもよい。あるいは、例えば、Detail information paging-message indicatorがMessage Typeの詳細情報として設定され、他のGroup Identifier、Restriction Flag、及び、Device Informationは図１０の通りに、Write-Replace Warning Requestメッセージのパラメータとして設定されてもよい。
【００６７】
続いて、図１１を用いてＭＭＥ４０がｅＮＢ５０へ送信するWrite-Replace Warning Requestメッセージのフォーマットについて説明する。図１１のWrite-Replace Warning Requestメッセージのパラメータには、Message Identifier、Serial-Number、Detail information paging-message indicator、Group Identifier、Restriction Flag、及び、Device Informationが設定されている。さらに、Message Identifier、Serial-Number、Detail information paging-message indicator、Group Identifier、Restriction Flag、及び、Device Informationは、ＣＢＳメッセージ種別情報に相当する。
【００６８】
Detail information paging-message indicatorは、Message Identifier、Serial-Number、Group Identifier、Restriction Flag、及び、Device Information等のＣＢＳメッセージ種別情報をページングメッセージ設定して送信することを、ｅＮＢ５０へ指示するために用いられる情報である。Message Identifierは、メッセージＩＤに相当し、Serial-Numberはシリアルナンバーに相当し、Group Identifierは、グループＩＤに相当し、Restriction Flagは、受信制限付きフラグに相当し、Device Informationは、受信端末情報に相当する。
【００６９】
本図においては、Write-Replace Warning Requestメッセージのパラメータとして、Detail information paging-message indicator、Group Identifier、Restriction Flag、及び、Device informationが設定されているが、他のパラメータの詳細情報として、Detail information paging-message indicator、Group Identifier、Restriction Flag、及び、Device informationが設定されてもよい。例えば、パラメータとして設定されているMessage Typeの詳細情報として、Detail information paging-message indicator、Group Identifier、Restriction Flag、及び、Device Informationが設定されてもよい。あるいは、例えば、Detail information paging-message indicatorがMessage Typeの詳細情報として設定され、他のGroup Identifier、Restriction Flag、及び、Device Informationは図１１の通りに、Write-Replace Warning Requestメッセージのパラメータとして設定されてもよい。
【００７０】
続いて、図１２を用いてｅＮＢ５０がＵＥ６０へ送信するページングメッセージのパラメータについて説明する。図１２のページングメッセージのパラメータには、etwsInformationが設定されている。etwsInformationは、ＣＢＳメッセージ種別情報がページングメッセージに含まれていることを示すために設定される。
【００７１】
さらに、etwsInformationの詳細情報として、EtwsInformation-xxx-IEs::=に、messageIdentifier、serialNumber、groupIdentifier、restrictionFlag、及び、deviceInformationが設定されている。messageIdentifierは、メッセージＩＤに相当し、serialNumberは、シリアルナンバーに相当し、groupIdentifierは、グループＩＤに相当し、restrictionFlagは、受信制限付きフラグに相当し、deviceInformationは、受信端末情報に相当する。受信端末情報として、trackingAreaはＵＥの位置登録エリア情報に相当し、cellAreaは在圏位置情報に相当し、batteryPowerはＵＥのバッテリ情報に相当し、mobilityCharacteristicはＵＥの移動特性情報に相当し、communicationCharacteristicはＵＥの通信特性情報に相当し、supportServiceはＵＥのサービスサポート情報に相当する。
【００７２】
以上説明したように、本発明の実施の形態２にかかる情報配信システムにおいて、ＵＥは、ＣＢＳメッセージ種別情報を用いることによって、不要なＣＢＳメッセージを受信することを回避することができる。
【００７３】
さらに、ＵＥ６０は、ページングメッセージに設定されたＣＢＳメッセージ種別情報を用いて、ＣＢＳメッセージの受信可否を判定する。ページングメッセージは、アプリケーションレベルではなく、無線モジュールレベルの低層において処理される。つまり、ＣＢＳメッセージを受信する必要のないＵＥ６０は、無線モジュールレベルにてＣＢＳメッセージを受信しなくなる。そのため、ｅＮＢ５０は、ＣＢＳメッセージをブロードキャストして配信しつつも、受信させるＵＥにのみＣＢＳメッセージを受信させることができる。このようにして、特定のＵＥにのみＣＢＳメッセージを受信させることができるため、セキュリティの向上につながる。
【００７４】
さらに、ＵＥ６０は、無線モジュールレベルにおいてＣＢＳメッセージの受信可否を判定する。例えば、ＵＥ６０を操作するユーザに対して、ＣＢＳメッセージを表示させない方法として、アプリケーションレベルにおいてＣＢＳメッセージの表示可否を判定することも考えられる。しかし、アプリケーションレベルにおいてＣＢＳメッセージの表示可否を判定する場合、ＵＥ６０は、不要なＣＢＳメッセージであっても、全てのＣＢＳメッセージを受信する必要がある。これに対して、無線モジュールレベルにおいてＣＢＳメッセージの受信可否を判定することによって、ＵＥ６０は、不要なＣＢＳメッセージの受信処理を行う必要がなくなる。そのため、ＵＥ６０は、不要なＣＢＳメッセージの受信処理に伴う電力の消費を回避することができる。
【００７５】
さらに、複数のＵＥ６０は、グループ化され、ｅＮＢ５０は、グループ単位にＣＢＳメッセージの受信可否を制御させることができる。そのため、ＣＢＳメッセージを受信することが不要なＵＥに対して、効率的に受信処理を省略させることができる。
【００７６】
（実施の形態３）
続いて、図１３を用いて、本発明の実施の形態３にかかる情報配信システムにおけるＣＢＳメッセージの配信処理の流れについて説明する。本図は、図９のＣＢＳメッセージの配信処理に、ＭＭＥ４０が、ｅＮＢ５０へページングメッセージ送信指示メッセージを送信すること（Ｓ２０）を追加している。具体的には、ＭＭＥ４０は、ステップＳ１５において、Write-Replace Warning RequestメッセージをｅＮＢ５０へ送信するとともに、ページングメッセージ送信指示情報をｅＮＢ５０へ送信する。図１３のその他の処理の内容は、図９と同様であるため詳細な説明を省略する。
【００７７】
ページングメッセージ送信指示メッセージは、Cell Broadcast delivery処理において、ｅＮＢ５０に対して、ＵＥ６０へページングメッセージを送信させるために用いられる。また、Write-Replace Warning Requestメッセージは、Cell Broadcast delivery処理において、ｅＮＢ５０に対して、ＵＥ６０へＣＢＳメッセージを送信させるために用いられる。
【００７８】
続いて、図１４を用いて、ＭＭＥ４０がｅＮＢ５０へ送信するページングメッセージ送信指示メッセージのフォーマットについて説明する。図１４のページングメッセージ送信指示メッセージのパラメータにはDetail information paging-message indicator、Group Identifier、Restriction Flag、Device Information、Message Identifier、及び、Serial Numberが設定されている。さらに、Detail information paging-message indicator、Group Identifier、Restriction Flag、Device Information、Message Identifier、及び、Serial Numberは、ＣＢＳメッセージ種別情報に相当する。
【００７９】
Detail information paging-message indicatorは、Group Identifier及びRestriction Flag等のＣＢＳメッセージ種別情報をページングメッセージ設定して送信することを、ｅＮＢ５０へ指示するために用いられる情報である。Message Identifierは、メッセージＩＤに相当し、Serial Numberはシリアルナンバーに相当し、Group Identifierは、グループＩＤに相当し、Restriction Flagは、受信制限付きフラグに相当し、Device Informationは、受信端末情報に相当する。
【００８０】
本図においては、ページングメッセージ送信指示メッセージのパラメータとして、Detail information paging-message indicator、Group Identifier、Restriction Flag、Device Information、Message Identifier、及び、Serial Numberが設定されているが、他のパラメータの詳細情報として、Detail information paging-message indicator、Group Identifier、Restriction Flag、Device Information、Message Identifier、及び、Serial Numberが設定されてもよい。例えば、パラメータとして設定されているMessage Typeの詳細情報として、Detail information paging-message indicator、Group Identifier、Restriction Flag、Device Information、Message Identifier、及び、Serial Numberが設定されてもよい。あるいは、例えば、Detail information paging-message indicatorがMessage Typeの詳細情報として設定され、他のGroup Identifier、Restriction Flag、Device Information、Message Identifier、及び、Serial Numberは図１４の通りに、ページングメッセージ送信指示メッセージのパラメータとして設定されてもよい。
【００８１】
以上説明したように、本発明の実施の形態３にかかるＣＢＳメッセージの配信処理を用いることによって、ＭＭＥ４０は、既に３ＧＰＰにおいて規定されているWrite-Replace Warning Requestメッセージとは異なるページングメッセージの送信を指示するメッセージにより、ｅＮＢ５０に対して、ＣＢＳメッセージ配信用のページングメッセージを送信させることを指示することができる。
【００８２】
上述の実施の形態では、本発明をハードウェアの構成として説明したが、本発明は、これに限定されるものではない。本発明は、各ノード装置における処理を、ＣＰＵ（Central Processing Unit）にコンピュータプログラムを実行させることにより実現することも可能である。
【００８３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８４】
なお、本発明は上記実施の形態に限られたものではなく、趣旨を逸脱しない範囲で適宜変更することが可能である。
【００８５】
以上、実施の形態を参照して本願発明を説明したが、本願発明は上記によって限定されるものではない。本願発明の構成や詳細には、発明のスコープ内で当業者が理解し得る様々な変更をすることができる。
【００８６】
この出願は、２０１４年６月６日に出願された日本出願特願２０１４−１１７４１４を基礎とする優先権を主張し、その開示の全てをここに取り込む。
【符号の説明】
【００８７】
１０  通信端末
１１  通信部
１２  受信制御部
２０  情報配信サーバ
３０  ＣＢＣ
３１  ＣＢＳメッセージ配信制御部
４０  ＭＭＥ
５０  ｅＮＢ
５１  ページングメッセージ処理部
５２  ＣＢＳメッセージ配信処理部
５３  制御部
６０  ＵＥ
６１  ページングメッセージ受信部
６２  ＣＢＳメッセージ受信部
６３  チャネル制御部
６４  ＣＢＳ制御情報保持部
６５  制御部
【図１】
2015186291.tif 000003
【図２】
2015186291.tif 000004
【図３】
2015186291.tif 000005
【図４】
2015186291.tif 000006
【図５】
2015186291.tif 000007
【図６】
2015186291.tif 000008
【図７】
2015186291.tif 000009
【図８】
2015186291.tif 000010
【図９】
2015186291.tif 000011
【図１０】
2015186291.tif 000012
【図１１】
2015186291.tif 000013
【図１２】
2015186291.tif 000014
【図１３】
2015186291.tif 000015
【図１４】
2015186291.tif 000016
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
配信されるＣＢＳメッセージの種別情報を含むページングメッセージを受信する通信手段と、
前記種別情報と予め定められたＣＢＳメッセージ受信基準とに基づいて、前記ＣＢＳメッセージを受信するか否かを制御する受信制御手段と、を備える通信端末。
【請求項２】
前記種別情報は、
前記ＣＢＳメッセージのメッセージＩＤ、前記ＣＢＳメッセージのシリアルナンバー、複数の通信端末に共通に割り当てられるグループＩＤ、受信制限付きフラグ及び受信端末情報の少なくとも１つを有する、請求項１に記載の通信端末。
【請求項３】
前記受信制御手段は、
前記種別情報に前記グループＩＤが設定されており、自端末が属するグループのグループＩＤと、前記種別情報に設定されているグループＩＤとが異なる場合、前記ＣＢＳメッセージを受信しないと判定する、請求項２に記載の通信端末。
【請求項４】
前記受信制御手段は、
前記種別情報に前記グループＩＤが設定されており、自装置が属するグループのグループＩＤと、前記種別情報に設定されているグループＩＤとが同じ場合、前記ＣＢＳメッセージを受信すると判定する、請求項２又は３に記載の通信端末。
【請求項５】
前記受信制御手段は、
前記種別情報に前記受信制限付きフラグが設定されており、自端末が、受信が制限されている複数のＣＢＳメッセージのうち１以上のＣＢＳメッセージを受信するように設定されている場合、前記ＣＢＳメッセージを受信すると判定する、請求項２に記載の通信端末。
【請求項６】
配信するＣＢＳメッセージの種別情報を含むページングメッセージを通信端末へ送信し、前記種別情報と予め定められたＣＢＳメッセージ受信基準とに基づいて、前記ＣＢＳメッセージを受信するか否かを前記通信端末において制御させる、ページングメッセージ処理手段、を備える無線基地局。
【請求項７】
前記種別情報は、
前記ＣＢＳメッセージのメッセージＩＤ、前記ＣＢＳメッセージのシリアルナンバー、複数の通信端末に共通に割り当てられるグループＩＤ、受信制限付きフラグ及び受信端末情報の少なくとも１つを有する、請求項６に記載の無線基地局。
【請求項８】
ＣＢＳメッセージを配信することを示すページングメッセージに、通信端末において前記ＣＢＳメッセージを受信するか否かを制御する際に用いられるＣＢＳメッセージ種別情報を含ませるために、ＭＭＥに前記ＣＢＳメッセージ種別情報を送信するＣＢＳメッセージ配信制御手段を備えるＣＢＳメッセージ配信サーバ。
【請求項９】
前記ＣＢＳメッセージ種別情報は、
前記ＣＢＳメッセージのメッセージＩＤ、前記ＣＢＳメッセージのシリアルナンバー、複数の通信端末に共通に割り当てられるグループＩＤ、受信制限付きフラグ及び受信端末情報の少なくとも１つを有する、請求項８に記載のＣＢＳメッセージ配信サーバ。
【請求項１０】
配信されるＣＢＳメッセージの種別情報を含むページングメッセージを受信し、
前記種別情報と予め定められたＣＢＳメッセージ受信基準とに基づいて、前記ＣＢＳメッセージを受信するか否かを制御する、通信方法。
【国際調査報告】
2015186291.tif 000017
2015186291.tif 000018
2015186291.tif 000019
2015186291.tif 000020